(57)【要約】【課題】装着する先端パイプ部の内径寸法が異なっても、装着することが可能な電気掃除機用吸込み具および電気掃除機を提供する。【解決手段】吸込み具１は、一端に接続口３を、他端に吸引口２を有した略角状筒体の吸込み具本体１１と、吸込み具本体１１の接続口３側を包囲するように樹脂で一体に成形されると共に円筒状の円周の一部を軸方向に切り裂いたような形状となっている接続部４とを備え、接続部４の内径が吸込み具本体１１の外形より大きいことを特徴とする。この吸込み具１は、接続部４が弾性によって先端パイプ部１６が変形するので、先端パイプ部１６の口径が合わなくても、装着して掃除することができる。【選択図】図１
2010246631.tif 000002
【特許請求の範囲】
【請求項１】
一端に接続口を、他端に吸引口を有した略角状筒体の吸込み具本体と、前記吸込み具本体の前記接続口側を包囲するように樹脂で形成された弾性を有する接続部とを備えた電気掃除機用吸込み具。
【請求項２】
吸込み具本体の接続口側に一体に成形されると共に略円筒状の円周の一部を軸方向に切り裂いたような形状となっている接続部とを備え、前記接続部の内径が前記吸込み具本体の外形より大きくなっており、前記吸込み具本体と前記接続部との間に隙間を有することを特徴とする請求項１に記載の電気掃除機用吸込み具。
【請求項３】
略角状筒体の吸込み具本体と、前記吸込み具本体を包囲する接続部との間に補助吸込み口を構成した請求項２に記載の電気掃除機用吸込み具。
【請求項４】
一端に接続口を、他端に吸引口を有した略角状筒体の吸込み具本体と、前記吸込み具本体の前記接続口側を内包するように発泡性の樹脂で形成された接続部とを備えた電気掃除機用吸込み具。
【請求項５】
請求項１〜４のいずれか１項に記載の電気掃除機用吸込み具を装備した電気掃除機。
【発明の詳細な説明】
【技術分野】
【０００１】
本発明は、電気掃除機用吸込み具並びにそれを用いた電気掃除機に関するものである。
【背景技術】
【０００２】
従来の電気掃除機用吸込み具、特に隙間用の吸込み具としては、ホースの先端側に取り付けるものである（例えば、特許文献１参照）。
【０００３】
図６は、特許文献１に開示された電気掃除機用の吸込み具である。同図に示すように電気掃除機用の吸込み具３１は、一端に接続口３２を有し、他端に吸引口３３を有し、接続口３２と吸引口３３との間に補助吸込み口３４を形成していた。接続口３２は、掃除機本体（図示せず）に接続されたホースの先端パイプ部（図示せず）内に嵌め込んで使用されるため、先端パイプ部の円筒形状に合わせて、円筒状の樹脂製パイプで構成されている。
【先行技術文献】
【特許文献】
【０００４】
【特許文献１】特開２００５−１１０９０８号公報
【発明の概要】
【発明が解決しようとする課題】
【０００５】
しかしながら、上記従来の構成では、吸込み具が樹脂製の円筒状パイプで構成されているので、硬さが硬く、変形しにくいものであった。そのため、従来の吸込み具は、ホースの先端パイプ部の内径寸法や形状が異なる掃除機に取り付けることができず、掃除作業ができない場合があるという課題を有していた。
【０００６】
本発明は、前記従来の課題を解決するもので、ホースの先端パイプ部の内径寸法や形状が異なる掃除機に取り付ける場合でも、取り付けることが出来る電気掃除機用吸込み具及びそれを用いた電気掃除機を提供することを目的とする。
【課題を解決するための手段】
【０００７】
前記従来の課題を解決するために本発明の電気掃除機用吸込み具は、一端に接続口を、他端に吸引口を有した略角状筒体の吸込み具本体と、前記吸込み具本体の前記接続口側を包囲するように樹脂で形成された弾性を有する接続部とを備えている。
【０００８】
これにより、ホースの先端パイプ部の内径寸法や形状が異なる掃除機に取り付ける場合でも、弾性を有した接続部が内径寸法に対応して変形するので、電気掃除機用吸込み具をホースの先端パイプ部に取り付けることが出来る。
【発明の効果】
【０００９】
本発明の電気掃除機用吸込み具は、接続部の持つ弾性により、接続部の外形をホースの先端パイプ部の内径寸法や形状に合わせて変形させ、機種の異なる電気掃除機のホースにも取り付けることが可能である。
【００１０】
また、吸込み具本体と接続部との間に補助吸込み口を設けることにより、電気掃除機用吸込み具の吸引口が被掃除面や塵埃などで塞がれても、通気性を確保することができるので、電動送風機への負荷を低減できるとともに、吸引口が被掃除面に吸い付くことを防ぐこともできる。
【図面の簡単な説明】
【００１１】
【図１】本発明の実施の形態１における電気掃除機用吸込み具の斜視図
【図２】同電気掃除機用吸込み具の要部断面図
【図３】同気掃除機用吸込み具を先端パイプ部に装着した状態を示す断面図
【図４】本発明の実施の形態２における電気掃除機用吸込み具の斜視図
【図５】同気掃除機用吸込み具の要部断面図
【図６】従来の電気掃除機用吸込み具の斜視図
【発明を実施するための形態】
【００１２】
第１の発明は、一端に接続口を、他端に吸引口を有した略角状筒体の吸込み具本体と、前記吸込み具本体の前記接続口側を包囲するように樹脂で形成された弾性を有する接続部とを備えた電気掃除機用吸込み具である。
【００１３】
この構成により、ホースの先端パイプ部の内径寸法や形状が異なる掃除機に取り付ける場合でも、弾性を有した接続部が内径寸法や形状に対応して変形するので、電気掃除機用吸込み具をホースの先端パイプ部に取り付けることが出来る。
【００１４】
第２の発明は、特に、第１の発明の吸込み具本体の接続口側に一体に成形されると共に略円筒状の円周の一部を軸方向に切り裂いたような形状となっている接続部とを備え、前記接続部の内径が前記吸込み具本体の外形より大きくなっており、前記吸込み具本体と前記接続部との間に隙間を有することを特徴とする。
【００１５】
これにより、円周の一部が欠落した接続部は、欠落した方向へ変形することが容易であり、先端パイプ部の内径寸法が吸込み具本体の接続部の外形より小さい場合には、接続部の外径電気を小さくして、掃除機用吸込み具をホースの先端パイプ部に取り付けることが出来る。
【００１６】
第３の発明は、特に、第２の発明の吸込み具本体と、前記吸込み具本体を包囲する接続部との間に補助吸込み口を構成したもので、吸込み具を使って掃除している時に、吸込み具の先端に在る吸引口が被掃除面や塵埃などで塞いでしまっても、補助吸込み口から空気が流入して、電気掃除機の吸引力の上昇を抑えられるので、吸引口２が被掃除面に吸い付いて、吸込み具を持ち上げることが困難になることを防止できると共に、電動送風機への負荷を低減することができる。
【００１７】
第４の発明は、一端に接続口を、他端に吸引口を有した略角状筒体の吸込み具本体と、前記吸込み具本体の前記接続口側を内包するように発泡性の樹脂で形成された接続部とを備えた電気掃除機用吸込み具とすることにより、発泡性の樹脂で形成された接続部は、弾力性が有り、先端パイプ部の内径寸法が多少異なっても、先端パイプ部の内径寸法に合わせて変形させてホースの先端パイプ部に嵌め込むことが出来る。
【００１８】
また、接続部を発泡性の樹脂で構成しているため、通気性を確保することが可能であり、吸引口が被掃除面や塵埃等で塞がれても、接続部の通気性によって外気を取り入れて、電動送風機に加わる負荷を低減したり、電気掃除機用吸込み具が被掃除面に吸い付くことを防止したりすることができる。
【００１９】
第５の発明は、特に、第１〜第４の発明の電気掃除機用吸込み具を装備した電気掃除機とするもので、接続部の弾力性により、接続部の外形を先端パイプ部の内径寸法に合わせて変形させ、先端パイプ部の内径寸法や形状が異なる機種の掃除機に取り付けて掃除することが可能である。また、吸込み具本体と接続部との間に補助吸込み口を構成したり、発泡性の樹脂で構成したりすれば、吸引口が被掃除面や塵埃などで塞がれても、接続部の通
気性により、掃除機本体が密閉状態になるのを防いで、電動送風機に加わる負荷を低減したり、被掃除面に吸い付くことを防いだりすることもできる。このように非常に使い勝手が良いものである。
【００２０】
以下、本発明の実施の形態について、図面を参照しながら説明する。なお、この実施の形態によって本発明が限定されるものではない。
【００２１】
（実施の形態１）
図１は本発明の第１の実施の形態における電気掃除機用吸込み具の斜視図であり、図２は同電気掃除機用吸込み具の要部断面図であり、図３は同電気掃除機用吸込み具を先端パイプ部に装着した状態を示す断面図である。
【００２２】
図１および図２に示すように、電気掃除機用の吸込み具１は、吸込み具本体１１の一端に吸引口２を有し、他端に接続口３を有した略角状筒体となっており、掃除機本体に接続するホース１６の先端パイプ部１７に取り付けて使用される。
【００２３】
接続部４は、略円筒状の円周を軸方向に切り裂いたような形状をしており、接続口３の外側に一部を取り付けて、欠落した箇所の端部４ａ，４ｂ同士を解放した状態で、吸込み具本体１１を包囲している。この接続部４は、内径寸法Ａの円筒状に構成され、吸込口３は長辺が外形寸法Ｂで形成され、Ａ＞Ｂとなるように構成し、接続部４と接続口３との間には隙間を形成し、その隙間を吸込口３とは別の補助吸込み口５としている。
【００２４】
以上のように構成された電気掃除機用の吸込み具について、その動作作用を以下に説明する。
【００２５】
吸込み具本体１１を包囲する円筒状の接続部４の内径が吸込み具本体１１の外形より大きく、接続部４の円筒状が欠落した箇所の端部４ａ，４ｂ同士が開放状態となっているため、例えば、図２に示す横方向から接続部４に圧力を加えると、接続部４の部４ａ，４ｂ同士が近づくように変形する弾性を有する。
【００２６】
図３に示すように、ホース１６の先端に設けられた先端パイプ部１７に吸込み具１を装着するとき、接続部４に外圧を与えれば接続部３の外形が小さくなるので、先端パイプ部１７の内径が正規のものより小さくても、吸込み具１を先端パイプ部１７内に嵌め込むことができる。
【００２７】
また、吸込み具１を使って掃除している時に、吸込み具１の先端に在る吸引口２が被掃除面や塵埃などで塞いでしまっても、補助吸込み口５から空気が流入して、電気掃除機の吸引力の上昇を抑制するので、吸込み具１の吸引口２が被掃除面に吸い付いて、吸込み具１を持ち上げることが困難になることを防止できると共に、電動送風機への負荷を低減することができる。
【００２８】
また、図３に示すように、ホース１６の先端パイプ部１７に吸込み具本体１１を取り付けて掃除作業をする場合、弾性の有る接続部４が変形可能なので、吸込み具本体１１先端の角度が上下方向（矢印Ｃ）にも左右方向にも可変できる。従って、吸込み具本体１１の先端が掃除面に当たったときには、掃除面に無理な力を加える心配がなく、吸込み具本体１１が被掃除面を傷付けることを防止できる。
【００２９】
（実施の形態２）
図４は本発明の第２の実施の形態における電気掃除機用の吸込み具の斜視図であり、図５は同吸込み具の要部断面図である。
【００３０】
図４、図５に示されるように、電気掃除機用の吸込み具１は、吸込み具本体１１の一端に吸引口２を有し、他端に接続口３を有した角状筒体となっており、掃除機本体に接続するホース１６（図３を参照）の先端パイプ部１７に取り付けて使用される。
【００３１】
接続部４は、吸込み具本体１１の接続口３側を発泡性の樹脂で内包して構成されており、気泡による空気通路１５が形成されるので、通気性と弾性を有している。
【００３２】
以上のように構成された吸込み具１について、その動作、作用を以下に説明する。
【００３３】
発泡性の樹脂で構成された接続部１４は、弾性を有しているので、ホース１６の先端パイプ部１７の内径が多少小さくても、圧力を加えれば先端パイプ部１７の内径寸法に合わせて変形するので、先端パイプ部１７の内径寸法が異なる機種の電気掃除機に取り付けて、掃除作業を行うことが出来る。
【００３４】
また、吸込み具１を用いて被掃除面を掃除している時に、吸込み具本体１１の先端に在る吸引口１２が被掃除面や塵埃などで塞がれてしまっても、空気通路１５から空気を取り入れて、電気掃除機の吸引力の上昇を抑制するので、吸引口１２が被掃除面に吸着して離れなくなることを防止できると共に、吸引風を発生させる電動送風機への負荷を低減することができる。
【００３５】
図３に示すように、ホース１６の先端パイプ部１７に吸込み具本体１１を取り付けて掃除作業をする場合、弾性の有る接続部（４）が変形可能なので、吸込み具本体１１先端の角度が上下方向（矢印Ｃ）にも左右方向にも可変自在になっている。従って、吸込み具本体１１の先端が掃除面に当たったときには、吸込み具本体１１が掃除面に大きな力を加える心配がなく、被掃除面を傷付けることを防止できる。
【産業上の利用可能性】
【００３６】
以上のように、本発明にかかる電気掃除機用吸込み具及びそれを用いた電気掃除機は、吸込み具本体の接続部が変形可能なので、接続する先端パイプ部が機種の異なるものであっても、機種の異なる電気掃除機の先端パイプ部に接続して掃除作業をすることが可能であり、家庭用の電気掃除機だけでなく業務用の電気掃除機にも適用できる。
【符号の説明】
【００３７】
１  吸込み具
２  吸引口
３  接続口
４、１４  接続部
５  補助吸込み口  
１１  吸込み具本体
１５  空気通路
１６  ホース
１７  先端パイプ部
【図１】
2010246631.tif 000003
【図２】
2010246631.tif 000004
【図３】
2010246631.tif 000005
【図４】
2010246631.tif 000006
【図５】
2010246631.tif 000007
【図６】
2010246631.tif 000008